(57)【要約】【課題】  繰り返し使用可能であり、シャツを折り畳んで積み重ねた時も、襟が押しつぶされたり、型崩れ等がなく、保形性、保護性に優れ、簡単、綺麗に折り畳むことができ、且つピンまたはクリップを必要としない折り畳み形状を保持し得るようにした保形シートを提供する。【解決手段】   シャツの折り畳み形状の型となるシート１を背当て部３、連設部４を介して連結された第一襟成形帯部５、第二襟成形帯部６、連結部材７、８を設けたシート本体２、およびシート本体２に連設部１０を介して連結された折り畳み案内板９で構成し、シャツの襟の首回りを第一襟成形帯部５、第二襟成形帯部６、連結部材７、８で調整、形状維持し、背当て部３、折り畳み案内板９をシャツの折り畳み型としてシャツを折り畳み、形状を保形する。【選択図】図１
0003200267.tif 000002
【実用新案登録請求の範囲】
【請求項１】
シャツの折り畳み形状を維持する保形シートであって、シャツの内側の上部に当てられる四角形状のシート本体と、該シート本体の上縁で、シャツの襟を保形する第一襟成形帯部が連設部を介して連結されるとともに、該シート本体の中央部に一部を残した切り込みによって成形された第二襟成形帯部が設けられており、該第一襟成形帯部と、該第二襟成形帯部とを連結部材を介して連結することで、湾曲形状の襟成形帯部が構成されることを特徴とするシャツ折り畳み形状保形シート。
【請求項２】
前記連結部材は、前記シート本体の第一襟成形帯部と、前記第二襟成形帯部との間に一部を残した切り込みによって起立可能に設けられており、該連結部材に設けられた凸部が、該第一襟成形帯部及び該第二襟成形帯部に設けられた開孔部に差し込まれることで連結されることを特徴とするシャツ折り畳み形状保形シート。
【請求項３】
前記第一襟成型帯部及び前記第二襟成形帯部と前記連結部材を前記シート本体に対して直角に折り立て、該連結部材の凸部を該第一襟成形帯部及び該第二襟成形帯部に設けられた複数の開孔部への差し込み位置を変更し湾曲形状に整えることによりシャツの首回りの大きさの調整ができることが特徴とする請求項１記載のシャツ折り畳み形状保形シート。
【請求項４】
前記シート本体、前記第一襟成型帯部及び前記第二襟成形帯部と、前記連結部材、一枚の薄い平面体で一体形成されていることを特徴とする請求項１記載のシャツ折り畳み形状保形シート。
【考案の詳細な説明】
【技術分野】
【０００１】
本考案は、家庭においてシャツを常に一定の大きさに、しかも簡単に、綺麗に折り畳み、その状態でシャツの形状及び襟形状を保形するためのシートに関するものである。
【背景技術】
【０００２】
従来、家庭においてシャツを折り畳み収納する場合、素人ではその方法、大きさなどが安定せず、形状も不揃いで、襟の形状も維持できなかった。
【考案の概要】
【考案が解決しようとする課題】
【０００３】
上記考案のシートによれば、蝶型片のような小型の部材を要することなく、シャツの襟を確実に形状維持でき、簡単且つ単時間に綺麗にシャツを折り畳んで折り畳み形状を維持することができる等の利点がある。
【課題を解決するための手段】
【０００４】
シャツの折り畳み形状を維持する保形シートであって、シャツの内側の上部に当てられる四角形状のシート本体と、該シート本体の上縁で、シャツの襟を保形する第一襟成形帯部が連設部を介して連結されるとともに、該シート本体の中央部に一部を残して切り抜かれる第二襟成形帯部が設けられており、該第一襟成形帯部と、該第二襟成形帯部の間の一部を残して切り抜かれる連結部材を介して連結することで、湾曲形状の襟成形帯部が構成されることを特徴とするシャツ折り畳み形状保形シート。
【考案の効果】
【０００５】
本考案によれば、第一襟成形帯部及び第二襟成形帯部、連結部材を設けたシート本体と、シート本体の下縁部に連設される四角形状の折り畳み案内板とで構成し、シャツの襟の内側に直角に折り立てた第一襟成形帯部及び第二襟成形帯部とを連結部材を介して連結することで襟の形状を保形し、シート本体と折り畳み案内板をシャツの折り畳み型としてシャツを折り畳むので、シャツの襟を確実に形状保形でき、簡単且つ単時間に綺麗にシャツを折り畳んで、折り畳み形状を保持することができ、シートの構成も簡単である。
【図面の簡単な説明】
【０００６】
【図１】本考案の実施例であるシャツ折り畳み形状保形シートを示す平面図である。
【図２】図１の保形シートの襟成形帯部を示す斜視図である。
【図３】保形シートをシャツの内側に入れた状態を示す説明図である。
【図４】シャツの折り畳みの途中を示す説明図である。
【図５】シャツを折り畳んだ状態を示す説明図で、正面側を示す平面図である。
【考案を実施するための形態】
【０００７】
以下、本考案を図示の実施の形態に基づいて説明する。
【０００８】
本考案の保形シート１は、四角形状のシート１と、このシート１の上縁に連設部４を介して連結されたシャツの襟を保形するための第一襟成形帯部５とシート本体２の下縁に連設部１０を介して連結される四角形状の折り畳み案内板９とから構成されている。
【０００９】
シート本体２には、その中央部に一部を残して切り抜かれ起立可能な帯状の第二襟成形帯部６が形成されており、この第二襟成形帯部６と、シート本体２の上縁との間に、一部を残して切り抜かれた四角形状の起立可能な連結部材７、８が左右に設けられている。
【００１０】
背当て部３は、幅がシャツ１１の幅の約２分の１強、長さがシャツ１１の丈の約２分の１弱、折り畳み案内板９も約２分の１弱の寸法を有し、背当て部３の中央部に一部を残して切り抜かれ起立可能な第二襟成形帯部６と、第一襟成形帯部５との間に一部を残して切り抜かれ起立可能な連結部材７、８が設けられており、連結部材７、８は、背当て部３の幅方向外側に、第一襟成形帯部５、第二襟成形帯部６は、背当て部３の長手方向内側に折り立てることによって、連結部材７、８に設けられた凸部７a、７b、８a、８bが、第一襟成形帯部５及び第二襟成形帯部６に設けられた複数の開孔部５a 〜５j、６a 〜６dのいずれかに差し込まれることで連結され、図２に示すように首回りのサイズの大きさの調整が可能になる。
【００１１】
本シート１を用いてシャツ１１を折り畳んで、折り畳み形状を維持するためには、先ず、図３に示すように、シート１をシャツ１１の内側に入れ、第一襟成形帯部５、第二襟成形帯部６、連結部材７、８を背当て部３に対し直角に折り立て連結され、シャツ１１のボタンは、折り畳むに先立って全て締めてある。
【００１２】
ついでシャツ１１をひっくり返し左右の一方の側、例えば図４に示すように右側を背当て部３の右の辺部に沿って幅方向に背当て部３の背面側に折り返し、背当て部３の背面側に位置した右の袖１１aを折り畳み、同様に、シャツ１１の他方の側の左側を背当て部３の左の辺部に沿って幅方向に背当て部３の背面側に折り返し、背当て部３の背面側に位置した左の袖１１bを折り畳む。
【００１３】
つぎに裾部を折り畳み案内板９の下辺に沿って丈方向に折り返し、そしてその裾部を折り返したシャツ１１を、更に折り畳み案内板９を丈方向に折り返す。
【００１４】
かくして、図５に示すように、折り畳んだシャツ１１の襟形状と全体の折り畳み形状がシート１に保形される。
【００１５】
以上では、シート１は、全体をプラスチックで作製しているが、本考案はこれに限定されるわけではなく、薄い平面体で形成されていればよい。例えば、生分解性フィルム等で形成しても良い。厚紙でも良い。
【００１６】
以上、本考案の実施形態を説明したが、本考案は実施形態のものに限定されるものではなく、必要に応じて種々の変更を施すことができる。
【符号の説明】
【００１７】
１    シート                    ２    シート本体
３    背当て部                  ４    連設部
５    第一襟成形帯部            
５a   開孔部                    ５b   開孔部
５c   開孔部                    ５d   開孔部
５e   開孔部                    ５f   開孔部
５g   開孔部                    ５h   開孔部
５i   開孔部                    ５j   開孔部
６    第二襟成形帯部
６a   開孔部                    ６b   開孔部
６c   開孔部                    ６d   開孔部
７    連結部材
７a   凸部                      ７b   凸部
８    連結部材
８a   凸部                      ８b   凸部
９    折り畳み案内板          １０    連設部
１１    シャツ                  １１a   袖
１１b   袖
【図１】
0003200267.tif 000003
【図２】
0003200267.tif 000004
【図３】
0003200267.tif 000005
【図４】
0003200267.tif 000006
【図５】
0003200267.tif 000007
【手続補正書】
【提出日】平成27年8月5日(2015.8.5)
【手続補正１】
【補正対象書類名】実用新案登録請求の範囲
【補正対象項目名】請求項２
【補正方法】変更
【補正の内容】
【請求項２】
前記連結部材は、前記シート本体の第一襟成形帯部と、前記第二襟成形帯部との間に一部を残した切り込みによって起立可能に設けられており、該連結部材に設けられた凸部が、該第一襟成形帯部及び該第二襟成形帯部に設けられた開孔部に差し込まれることで連結されることを特徴とする請求項１記載のシャツ折り畳み形状保形シート。